(57)【特許請求の範囲】
【請求項１】
手摺の棒材を支持するブラケット本体１の取付座４にビス穴６を設け、このビス穴６に壁面Ｗにねじ込まれたビスＶの頭部ｔが通過する大径部７と、ビスＶの頭部ｔが係合する小径部８とを形成し、ビスＶが緩んだ状態で、ブラケット本体１をビスＶの軸部ｓが大径部７から小径部８へ進入するように下方へ移動させ、ビスＶを締め付けてブラケット本体１を壁面Ｗに固定し、取付座４をカバー２で覆う手摺用ブラケットにおいて、前記ブラケット本体１の取付座４の表面側には、ビス穴６の小径部８の周縁部にビスＶの頭部ｔを没入させる凹状の座ぐり部９を形成し、大径部７の周縁部に、切環状に突出するストッパ片１０を設け、このストッパ片１０の上端が座ぐり部９へ達するようにし、カバー２の裏面にも、ビス穴６の大径部７に対応してストッパ片１１を設け、カバー２を取付座４に嵌めたとき、カバー２のストッパ片１１がビス穴６の大径部７に挿入されて、このストッパ片１１の上端もまた座ぐり部９へ達するようにし、施工後にビスＶが緩んだ状態で、ブラケット本体１に上方向へ移動させる力が作用しても、ストッパ片１０，１１の上端がビスＶの頭部ｔに当接して、ビスＶの軸部ｓが小径部８から大径部７へ逸脱する現象が阻止されるようにしたことを特徴とする手摺用ブラケット。
【発明の詳細な説明】
【技術分野】
【０００１】
この発明は、ビスに対し移動させて固定する手摺用ブラケットに関するものである。
【背景技術】
【０００２】
一般に、建築物の施工に際しては、大工が建築工事により建築物本体を製作して、壁下地に手摺を取り付けた後、内装業者が手摺を一旦取り外し、壁下地にクロスを貼り付け、クロスの上に手摺を再び取り付けることとされている。
【０００３】
この際、手摺のブラケットをその固定用のビスと共に壁下地から取り外してクロスを貼り付けると、ブラケットを再度同じ位置に取り付けるのが難しくなるため、ビスを取り外すことなく緩めるだけで壁下地から取り外すことができ、クロスの貼り付け後に簡単に再取付できるブラケットとして、下記特許文献１に記載のものが提案されている。
【０００４】
このブラケットは、手摺の棒材を支持するブラケット本体の取付座にビス穴を設け、このビス穴に、壁面にねじ込んだビスの頭部が通過する大径部と、ビスの頭部が係合する小径部とを形成し、ビスが緩んだ状態で、ブラケット本体をビスの軸部が大径部から小径部へ進入するように移動させ、ビスを締め付けてブラケット本体を壁面に固定した後、取付座をカバーで覆うものである。
【０００５】
なお、このブラケットには、内装業者が手摺を一旦取り外す作業を容易にするため、ビス穴の大径部周縁に、ビスの頭部が引っ掛からないようにブラケット本体を位置決めする半環状のストッパ片が設けられている。
【０００６】
【特許文献１】特開２００５−４２３６７号公報
【発明の開示】
【発明が解決しようとする課題】
【０００７】
しかしながら、上記のようなブラケットでは、ビスの締め付けが緩い場合や、建築物の竣工後長期間を経てビスが緩んできた場合に、ブラケット本体に取付時とは逆方向へ移動させる力が作用すると、ストッパ片もビス穴に対するビスの移動を阻止できず、ブラケット本体が壁面から外れて、事故が発生するおそれがある。
【０００８】
そこで、この発明は、ビスが緩んでも壁面から不意に外れることのない移動固定式の手摺用ブラケットを提供することを課題とする。
【課題を解決するための手段】
【０００９】
上記課題を解決するため、この発明は、手摺の棒材を支持するブラケット本体の取付座にビス穴を設け、このビス穴に壁面にねじ込まれたビスの頭部が通過する大径部と、ビスの頭部が係合する小径部とを形成し、ビスが緩んだ状態で、ブラケット本体をビスの軸部が大径部から小径部へ進入するように下方へ移動させ、ビスを締め付けてブラケット本体を壁面に固定し、取付座をカバーで覆う手摺用ブラケットにおいて、前記ブラケット本体の取付座の表面側には、ビス穴の小径部の周縁部にビスの頭部を没入させる凹状の座ぐり部を形成し、大径部の周縁部に、切環状に突出するストッパ片を設け、このストッパ片の上端が座ぐり部へ達するようにし、カバーの裏面にも、ビス穴の大径部に対応してストッパ片を設け、カバーを取付座に嵌めたとき、カバーのストッパ片がビス穴の大径部に挿入されて、このストッパ片の上端もまた座ぐり部へ達するようにし、施工後にビスが緩んだ状態で、ブラケット本体に上方向へ移動させる力が作用しても、ストッパ片の上端がビスの頭部に当接して、ビスの軸部が小径部から大径部へ逸脱する現象が阻止されるようにしたのである。
【発明の効果】
【００１０】
この手摺用ブラケットでは、施工後にビスが緩んだ状態で、ブラケット本体に取付時とは逆方向の上方へ移動させる力が作用しても、ストッパ片によりブラケット本体の移動が阻止されて、ビスの頭部とビス穴の小径部との係合が維持されるので、ブラケット本体が壁面から外れることがなく、施工性を維持しつつ、安全性を向上させることができる。
【発明を実施するための最良の形態】
【００１１】
以下、この発明の実施形態を添付図面に基づいて説明する。
【００１２】
図１に示すように、この手摺用ブラケットは、ブラケット本体１とカバー２とから構成されている。
【００１３】
ブラケット本体１は、Ｌ字状のアーム３の下端に取付座４を設け、上端に手摺の棒材の受止部５を設けたものとされている。ブラケット本体１の取付座４には、３個のビス穴６が周方向に配設され、各ビス穴６には、大径部７と小径部８とが下方から上方へ連通するように形成されている。
【００１４】
取付座４の表面側における小径部８の周縁部には、凹状の座ぐり部９が形成され、大径部７の周縁部には、切環状に突出するストッパ片１０が設けられている。ストッパ片１０の上端は座ぐり部９へ達している。
【００１５】
カバー２は、上端から中央部へかけてアーム３を回避するためＵ字状に切り欠かれ、カバー２の外周部には、取付座４の外周に被さるフランジが形成されている。また、フランジの内周面には取付座４の外周凹部に係合する係合爪が設けられている。
【００１６】
カバー２の裏面には、切環状に突出する３個のストッパ片１１が周方向に配設され、ストッパ片１１の上端もまた、カバー２を取付座４に嵌めたとき、座ぐり部９へ達するようになっている。
【００１７】
上記のようなブラケットを使用して手摺を施工する際には、建築工事において、壁下地ｂとなる石膏ボード等にブラケットを３本の固定用ビスＶで取り付けた後、内装業者がビスＶを緩めてブラケットを一旦取り外し、壁下地ｂにクロスｃを貼り付けて壁面Ｗを仕上げる。そして、クロスｃを切り欠いて、ビスＶの頭部ｔを露出させる。
【００１８】
次に、図３（ａ）及び図４（ａ）に示すように、ビスＶを緩めた状態で、ビスＶの頭部ｔをビス穴６の大径部７に挿通して、図３（ｂ）及び図４（ｂ）に示すように、ブラケット本体１を、ビスＶの軸部ｓが大径部７から小径部８へ進入するように下方へ移動させ、ビスＶのねじ込みに伴い、ビスＶの頭部ｔを小径部８に係合させる。
【００１９】
その後、図３（ｃ）及び図４（ｃ）に示すように、ビスＶをさらに締め付けて、ビスＶの頭部ｔを座ぐり部９に没入させ、ブラケット本体１を壁面Ｗに固定し、カバー２を取付座４に嵌めて、ストッパ片１１をビス穴６の大径部７に挿入し、図２に示すように、取付座４をカバー２で覆う。
【００２０】
この手摺用ブラケットでは、施工後にビスＶが緩んだ状態で、ブラケット本体１に上方向へ移動させる力が作用しても、ストッパ片１０，１１の上端がビスＶの頭部ｔに当接して、ビスＶの軸部ｓが小径部８から大径部７へ逸脱するのを阻止する。
【００２１】
このため、ブラケット本体１の下方への移動が阻止され、ビスＶの頭部ｔとビス穴６の小径部８との係合が維持されるので、ブラケット本体１が壁面Ｗから外れることがなく、高い安全性が確保される。
【００２２】
なお、この実施形態におけるカバー２裏面のストッパ片１１は、離型性や軽量化等を考慮して、内側が肉抜きされた切環状としたが、内側が詰まった柱状とするなど、他の形状としても、同様の機能を得ることができる。
【００２３】
ところで、図５に示すように、ストッパ片１０に内周側へかけて窪むように傾斜したテーパ面１２を形成しておくと、ビスＶの頭部ｔがナベ型の場合でも、ビスＶを緩めて壁下地ｂからブラケット本体１を取り外す際、ビスＶの頭部ｔがストッパ片１０に引っ掛かって抜けなくなることがない。
【図面の簡単な説明】
【００２４】
【図１】この発明に係る手摺用ブラケットの取付過程を示す分解斜視図
【図２】同上の取付状態を示す斜視図
【図３】同上の取付過程を示す一部縦断側面図
【図４】同上の取付過程を示す正面図
【図５】ビス穴大径部周縁のストッパ片の拡大縦断側面図
【符号の説明】
【００２５】
１  ブラケット本体
２  カバー
３  アーム
４  取付座
５  受止部
６  ビス穴
７  大径部
８  小径部
９  座ぐり部
１０，１１  ストッパ片
１２  テーパ面
【図１】
0004815167.tif 000002
【図２】
0004815167.tif 000003
【図３】
0004815167.tif 000004
【図４】
0004815167.tif 000005
【図５】
0004815167.tif 000006